(57)【要約】【課題】名刺等の文字が記載されている被写体をカメラで撮影して、被写体の文字を電話帳等に登録する際に、必要となる作業用メモリを少なくすることを目的とする。【解決手段】画像管理装置は、被写体の文字の大きさに応じた画素数を決定し、決定された画素数の撮影データを撮影して記憶し、記憶されている撮影データから被写体の文字を認識し、被写体の文字を視認することが可能な画素数の保存用データを記憶されている撮影データから生成して記憶した後、撮影データを削除する。【選択図】図５
2011070601.tif 000002
【特許請求の範囲】
【請求項１】
被写体の文字の大きさに応じた画素数を決定する決定手段と、
前記被写体を撮影し、前記決定された画素数の撮影データを出力する撮像手段と、
前記撮像手段で出力された撮影データを記憶する撮影データ記憶手段と、
前記撮影データ記憶手段に記憶されている撮影データから前記被写体の文字を認識する文字読取手段と、
前記撮影データ記憶手段に記憶されている撮影データから、前記被写体の文字を視認することが可能な画素数の保存用データを生成する保存用データ生成手段と、
前記保存用データを記憶する保存用データ記憶手段と
を備える画像管理装置。
【請求項２】
前記決定手段は、前記被写体の文字を前記文字読取手段が認識することが可能な前記撮影データの画素数を決定する
請求項１に記載の画像管理装置。
【請求項３】
前記文字読取手段は、前記撮影データから文字を認識する際に、文字認識率が所定値より低い場合は、更に、前記撮像データを９０度回転又は１８０度回転してそれぞれ文字認識し、最も文字認識率が高いときの撮像データを、前記被写体の正しい向きとみなして、前記撮像データと置換する
請求項１ないし請求項３のいずれかに記載の画像管理装置。
【請求項４】
前記文字読取手段は、前記撮影データ記憶手段に記憶されている撮影データから文字を認識した後であって、前記保存用データ記憶手段に前記保存用データが記憶された後に、当該撮影データを削除する
請求項１ないし請求項３のいずれかに記載の画像管理装置。
【請求項５】
被写体を撮影し、保存用データを記憶する画像管理装置に、データを管理させる画像管理方法であって、
前記被写体の文字の大きさに応じた画素数を決定させ、
前記被写体を撮影し、前記決定された画素数の撮影データを出力させ、
前記出力された撮影データを撮影データ記憶手段に記憶させ、
前記撮影データ記憶手段に記憶されている撮影データから前記被写体の文字を認識させ、
前記撮影データ記憶手段に記憶されている撮影データから、前記被写体の文字を視認することが可能な画素数の保存用データを生成させ、
前記保存用データを保存用データ記憶手段に記憶させ、
前記保存用データ記憶手段に前記保存用データが記憶された後に、前記撮影データを削除させる
画像管理方法。
【請求項６】
被写体を撮影し、保存用データを記憶する画像管理装置に、データを管理させるコンピュータプログラムであって、
被写体の文字の大きさに応じた画素数を決定する決定処理を実行させ、
前記被写体を撮影し、前記決定された画素数の撮影データを出力する撮像処理を実行させ、
前記撮像処理で出力された撮影データを撮影データ記憶手段に記憶させる処理を実行させ、
前記撮影データ記憶手段に記憶されている撮影データから前記被写体の文字を認識する文字読取処理を実行させ、
前記撮影データ記憶手段に記憶されている撮影データから、前記被写体の文字を視認することが可能な画素数の保存用データを生成する保存用データ生成処理を実行させ、
前記保存用データを保存用データ記憶手段に記憶させる処理を実行させ、
前記保存用データ記憶手段に前記保存用データが記憶された後に、前記撮影データを削除させる処理を実行させる
コンピュータプログラム。
【発明の詳細な説明】
【技術分野】
【０００１】
本発明は、画像の文字を文字データとして認識する技術に関する。
【背景技術】
【０００２】
近年、携帯電話機等の携帯端末の多くがデジタルカメラを搭載しており、撮影する画像の高画素化が進んでいる。そのデジタルカメラを用いて名刺を撮影し、名刺の撮影画像を携帯端末に保存することがなされている。
【０００３】
一方、携帯端末は小型化が進んでおり、それに伴って、表示画面の大きさは限られたものとなっている。
【０００４】
従って、通常の風景写真のように１画面に名刺全体を表示した場合には、電話番号等の小さな文字が読み取れず、拡大しないと見えない場合が生じ得る。
【０００５】
そこで、名刺の撮影画像の表示を工夫し、名刺ならではの操作性を高める技術が提案されている。
【０００６】
例えば、電話番号が記載されている部分を表示するときは拡大して表示する、及び、電話番号が記載されている部分を表示しながら、電話番号の入力を可能にする等である（特許文献１等参照）。
【０００７】
また、名刺の撮影画像から文字を認識して、電話番号等を電話帳に登録し、名刺の撮影画像をアイコンとして登録することもなされている。
【０００８】
カメラが高機能化して解像度が高くなっていることから、拡大しても画像が鮮明であるので電話番号を読み取ることができ、また、画像の文字を認識して文字データとすることが可能となっている。
【先行技術文献】
【特許文献】
【０００９】
【特許文献１】特開２００６−７１８２７号公報
【発明の概要】
【発明が解決しようとする課題】
【００１０】
しかし、カメラが高機能化して高画素化が進んでいる（解像度が高くなっている）ことから、名刺の撮影画像のデータのサイズは大きいものとなってきている。
【００１１】
また一方で、高機能化及び多機能化が進む携帯端末においては、動作する際に多くの作業用メモリを必要とする機能もある。また、複数の機能を並行して動作させる場合は、それぞれの機能の動作に必要な作業用メモリを合わせた容量の作業用メモリが必要となる。
【００１２】
しかし、高機能化及び多機能化に加えて小型化が進む携帯端末においては、搭載できるメモリにも限度があり、作業用メモリの有効利用が望まれる。
【００１３】
そこで、本発明は、名刺等の文字が記載されている被写体をカメラで撮影して、被写体の文字を電話帳等に登録する際に、必要となる作業用メモリを少なくすることを目的とする。
【課題を解決するための手段】
【００１４】
本発明の１形態に係る画像管理装置は、被写体の文字の大きさに応じた画素数を決定する決定手段と、前記被写体を撮影し、前記決定された画素数の撮影データを出力する撮像手段と、前記撮像手段で出力された撮影データを記憶する撮影データ記憶手段と、前記撮影データ記憶手段に記憶されている撮影データから前記被写体の文字を認識する文字読取手段と、前記撮影データ記憶手段に記憶されている撮影データから、前記被写体の文字を視認することが可能な画素数の保存用データを生成する保存用データ生成手段と、前記保存用データを記憶する保存用データ記憶手段と、を有する。
【発明の効果】
【００１５】
上記構成の画像管理装置は、名刺等の文字が記載されている被写体をカメラで撮影して、被写体の文字を電話帳等に登録する際に、必要となる作業用メモリを少なくすることができる。
【図面の簡単な説明】
【００１６】
【図１】携帯電話機の外観及び電話帳表示時の画面の例を示す図である。
【図２】名刺撮影時の携帯電話機を正面から見たところを示す図である。
【図３】電話帳の個人情報をディスプレイに表示させた場合の、画面の遷移の例を示す図である。
【図４】名刺登録処理における撮影データの流れ等を示す図である。
【図５】携帯電話機の機能的構成の例を示すブロック図である。
【図６】変換テーブルの構成及び内容の例を示す図である。
【図７】電話帳データの構成及び内容の例を示す図である。
【図８】携帯電話機の名刺登録処理のフローチャートである。
【図９】電話帳に登録されている個人情報の名刺画像表示処理のフローチャートである。
【発明を実施するための形態】
【００１７】
＜実施形態＞
携帯端末等に搭載されているカメラは、風景及び人物等を撮影することが主な目的であり、きれいな撮影画像となるように、解像度が高いものが好まれる。
【００１８】
しかし、名刺の撮影画像に求められることは、きれいな画像であることではなく、名刺の文字を読めること、名刺の文字をＯＣＲ（Optical Character Recognition）等で認識できること、及び、名刺に記載されているマーク等を視認できること等である。
【００１９】
従って、カメラで撮影した撮影画像に対して求められる解像度は、風景等を撮影した撮影画像に求められるものと、名刺を撮影した撮影画像に求められるものとは異なるのが必然である。
【００２０】
実施形態の携帯端末等では、風景等を撮影する場合とは別に、名刺をカメラで撮影して電話帳に登録する場合の名刺登録機能を有する。
【００２１】
以下、実施形態の名刺登録機能を有する携帯電話機について説明する。
【００２２】
図１は、実施形態の携帯電話機１０００の外観及び電話帳表示時の画面の例を示す図である。
【００２３】
携帯電話機１０００は、いわゆる折り畳み式携帯電話機であり、図１は、開いた携帯電話機１０００を正面から見たところを示している。
【００２４】
携帯電話機１０００は、第１筐体１００１と第２筐体１００２と、これらを結合するヒンジ１００３とを有する。
【００２５】
第１筐体１００１は、ディスプレイ２０００を備える。
【００２６】
ユーザが電話帳を表示させた場合、ディスプレイ２０００には、２つの画面が並んで表示される。個人情報表示画面２０１０及びソフトキー表示画面２０２０である。
【００２７】
個人情報表示画面２０１０は、電話帳に登録されている個人情報の内容を表示する画面であり、個人情報である電話番号等の文字データ及びアイコン２００１を表示する。アイコン２００１として、顔写真及び図柄等を表示することができる。図１では、横書きの名刺のアイコン２００１が表示されている。
【００２８】
ソフトキー表示画面２０２０は、電話帳を表示させる操作で用いるソフトキーを表示する画面である。表示されるソフトキーは、個人情報表示画面２０１０に表示されている内容及びカーソルの位置に応じて異なる。
【００２９】
例えば、図１においてソフトキー表示画面２０２０に表示されたソフトキー「修正」は、現在表示されている個人情報を修正するためのキーである。「発信」は、個人情報表示画面２０１０に表示されている電話番号に発信するためのキーである。また「メニュー」は、メニューを表示するためのキーである。
【００３０】
また、第２筐体１００２は、操作キーを備える。操作キーは、ソフトキー対応キー１０、機能キー２０及び文字入力キー３０に分類される。
【００３１】
ソフトキー対応キー１０のうち、キー１１は、中央のソフトキー、図１においては「発信」に対応する。また、キー１３及びキー１４は、それぞれ、左のソフトキー「修正」及びソフトキー「メニュー」に対応する。
【００３２】
ソフトキー対応キー１０のうち、キー１２は、ディスプレイ２０００に表示されるカーソルを上下左右に移動するために使用するキーである。以下、「カーソルキー１２」というものとする。
【００３３】
機能キー２０のキー「発信」は、電話発信キーであり、キー「切断」は、電話通話切断キーである。キー「クリア」は、文字の入力において文字を消去するためのキーである。
【００３４】
文字入力キー３０は、いわゆるテンキーであり、それぞれのキーに対応付けされている文字を入力するためのキーである。尚、図１では、各キーには数字が記載されているが、数字の他に「あ行」〜「わ行」等が対応付けられている。例えば、キー「１」には「あ行」が、キー「２」には「か行」が割り当てられている。
【００３５】
ここで、図２〜図４を用いて、携帯電話機１０００における名刺登録機能の使い方について説明する。
【００３６】
図２を用いて、名刺を撮影する場合を説明する。また、図３を用いて、撮影した名刺を参照する場合を説明する。これらの説明をする際、図４を参照する。
【００３７】
図４は、名刺登録処理における撮影データの流れ等を示す図である。図４における、撮像部１３００等の各機能部の詳細については、＜機能＞の項で説明する。
【００３８】
まず、名刺を撮影する場合を説明する。尚、実施形態では、名刺登録機能を用いて、「名刺撮影モード」でカメラを起動して名刺を撮影すると、自動的に電話帳に登録されるものとする。
【００３９】
図２は、名刺撮影時の携帯電話機１０００を正面から見たところを示す図である。
【００４０】
名刺を登録するために、まず、ユーザが名刺を撮影する。
【００４１】
具体的には、「名刺撮影モード」でカメラ（図４の撮像部１３００に該当する。）を起動して、名刺登録機能を有効にする。カメラが起動されると、撮影する名刺の画像の位置合わせの為に、ディスプレイ２０００の四隅にガイド枠２１０１が表示される。
【００４２】
ユーザは、ディスプレイ２０００に表示されたガイド枠２１０１に名刺の画像が収まるようにして、「撮影」が対応するキー１１を押下する。この場合、名刺が逆さまになっていてもよく、また、文字が横になっていてもよい。後で画像を手動または自動で９０度毎に回転してもよいし、ＯＣＲで認識して、文字認識率が低ければ回転して、再度、ＯＣＲで認識して認識率の最も高い時の回転した画像を、名刺の向きが正しい画像としてもよい。
【００４３】
撮像部１３００によって撮影された名刺画像３００１は、名刺登録作業用記憶部３０００に記憶される（図４参照）。
【００４４】
この名刺画像３００１から、文字認識部１５００によって名前等の文字データが認識され、名前等が電話帳記憶部３２００に記憶される（図４の電話帳データ３２１０参照）。
【００４５】
また、名刺画像３００１は、文字の向きが正しく補正された名刺画像３１０１として名刺画像記憶部３１００に記憶される。尚、この名刺画像３１０１には識別子、例えば、「Ｇ００２」が付けられる。
【００４６】
この名刺画像３１０１が記憶されたら、名刺登録作業用記憶部３０００の名刺画像３００１は削除される。すなわち、名刺登録作業用記憶部３０００は、名刺画像３００１を記憶することができる領域があればよい。
【００４７】
次に、図３は、ユーザが電話帳の個人情報をディスプレイ２０００に表示させた場合の、画面の遷移の例を示す図である。図３において、反転文字、又は、太線の矩形は、カーソルでフォーカスされている位置を示している。
【００４８】
ユーザがメニュー等を操作して、電話帳から、「○山△男」の個人情報を表示させる（図３の画面２２０１参照）。画面２２０１では、電話番号がカーソルでフォーカスされている。
【００４９】
この画面２２０１は、電話帳記憶部３２００に記憶されている電話帳データ３２１０と、名刺画像記憶部３１００に記憶されている名刺画像３１０１とから、電話帳表示部１７００によってディスプレイ２０００に表示される（図４の画面２２０１参照）。電話帳データ３２１０の「画像」として設定されている「Ｇ００２」が識別子として付けられている名刺画像３１０１を表示する。
【００５０】
ここで、ユーザがカーソルキー１２を操作してアイコン２００１にカーソルを移動する（図３の画面２２０２のカーソル２２０４参照）。
【００５１】
画面２００２の状態で、ユーザが、「拡大」に対応するキー１１を押下して、アイコン２００１の拡大表示を指示する。
【００５２】
ユーザの指示により、アイコン２００１が拡大されて表示される（図３の画面２２０３参照）。ここで、更にユーザが、「拡大」に対応するキー１１を押下して、拡大表示を指示すると、更に拡大された名刺画像が表示される。「縮小」に対応するキー１４を押下して、縮小表示を指示すると、縮小された名刺画像が表示される。また、カーソルキー１２を押下して表示位置を変える指示を行うと、指示に応じて表示されている名刺の部分が移動する。これらの表示の際には、名刺画像記憶部３１００に記憶されている名刺画像３１０１が必要に応じて読み出されて使用される。
【００５３】
ユーザが名刺のアイコン２００１を拡大表示させるのは、ユーザが知りたい情報を知るためである。例えば、電話帳に登録された電話番号が合っているかを確認するために、名刺に記載されている電話番号を見る、及び、名刺に記載されている会社のロゴを確認する等である。
【００５４】
名刺登録作業用記憶部３０００に記憶されている名刺画像３００１と、名刺画像記憶部３１００に記憶されている名刺画像３１０１との違いは、その画素数である。
【００５５】
名刺画像３００１は、文字認識部１５００が文字認識を行うことができる画素数の画像である。この画素数は、文字認識を行うＯＣＲ等の性能によって異なる。
【００５６】
一方、名刺画像３１０１は、ディスプレイ２０００に表示した場合に（図３の画面２２０３参照）、人間が文字を視認できる程度の画素数の画像である。名刺に印刷される文字の大きさが限られていることから、予め名刺画像３１０１の画素数を決めておくことが可能である。
【００５７】
画素数は、通常、名刺画像３００１よりも名刺画像３１０１の方が小さくなる場合が多い。従って、記憶する圧縮データも、名刺画像３１０１の方が小さい場合が多い。例えば、ＪＰＥＧ形式の名刺画像３００１のデータが９６０ＫＢ（キロバイト）であり、ＪＰＥＧ形式の名刺画像３００１のデータは、圧縮されて２４０ＫＢのように小さくなる。
【００５８】
＜機能＞
以下、図５を用いて、携帯電話機１０００の機能について説明する。
【００５９】
図５は、携帯電話機１０００の機能的構成の例を示すブロック図である。
【００６０】
携帯電話機１０００は、携帯電話機が通常有する通話機能及びメール機能等を有するが、図５においては、名刺登録処理に関係する機能部のみを記載している。
【００６１】
また、図５において、点線矢印は名刺のデータの流れを示す。
【００６２】
携帯電話機１０００は、インタフェース部１１００、名刺登録制御部１２００、撮像部１３００、撮影モード設定部１４００、文字認識部１５００、縮小画像生成部１６００、電話帳表示部１７００、ディスプレイ２０００、名刺登録作業用記憶部３０００、名刺画像記憶部３１００及び電話帳記憶部３２００を有する。
【００６３】
インタフェース部１１００は、第２筐体１００２の操作キーを含み、ユーザからの操作、例えば、キーの押下等を検出する機能を有する。
【００６４】
名刺登録制御部１２００は、以下に説明する各機能部に指示を出して名刺登録処理を行う機能を有する。
【００６５】
撮像部１３００は、いわゆるカメラであり、複数の撮影モードで撮影できる機能を有する。ここで、撮影モードとは、撮像部１３００が出力する撮影データの撮影画像の画素数と色数をいう。
【００６６】
例えば、１６色の６４０×４８０画素の撮影データを出力するモード等である。
【００６７】
この撮像部１３００が撮影する撮影モードは、撮影モード設定部１４００によって設定される。
【００６８】
また、この撮像部１３００は、撮影した結果である撮影データを、所定のフォーマットで名刺登録作業用記憶部３０００に記憶させる。この所定のフォーマットは、撮影モード設定部１４００から通知される。
【００６９】
以下、「撮影データ」とは、画素のデータをいうものとする。また、「撮影画像」とは、撮影データに基づいてディスプレイに表示されたイメージをいうものとする。
【００７０】
撮影モード設定部１４００は、撮影モードを決定し、撮像部１３００に決定した撮影モードを設定する機能を有する。撮影モードの決定方法は、＜撮影モードの決定方法＞の項で説明する。
【００７１】
文字認識部１５００は、いわゆるＯＣＲであり、撮影画像の文字を認識し、文字データとして出力する機能を有する。また、文字認識部１５００は、次の２つの情報を撮影モード設定部１４００に通知する機能も有する。
【００７２】
１つ目は、文字認識部１５００自身が認識できる文字のサイズ、及び、処理可能な画像データのフォーマットに関する情報である。例えば、文字サイズ「縦５ドット」、フォーマット「ＪＰＥＧ（Joint Photographic Experts Group）」等と通知する。
【００７３】
２つ目は、文字認識部１５００が認識した撮影画像の向きに関する情報である。この向きに関する情報とは、撮影画像の文字が正しい向きになる為には、撮影画像を何度回転させる必要があるかを示す情報である。例えば、撮影画像が傾いている場合には、向きに関する情報として傾きの角度が通知される。また、撮影画像が逆さまである場合には、向きに関する情報として「１８０度」が通知される。尚、角度以外の情報を向きに関する情報として通知してもよい。
【００７４】
縮小画像生成部１６００は、名刺登録作業用記憶部３０００に記憶されている撮影データから、保存用の撮影データを生成する機能を有する。縮小画像生成部１６００は、文字認識部１５００が通知した撮影画像の向きに関する情報に基づいて、名刺登録作業用記憶部３０００に記憶されている撮影データの撮影画像の向きを補正し、予め決めてある画素数の保存用の撮影データを生成する。
【００７５】
また、縮小画像生成部１６００は、生成した保存用の撮影データを、名刺画像記憶部３１００に記憶させる機能を有する。
【００７６】
電話帳表示部１７００は、電話帳の表示を行う機能を有する。具体的には、電話帳記憶部３２００から個人情報を読み出してディスプレイ２０００に表示する。また、名刺画像記憶部３１００から撮影データを読み出してアイコン２００１としてディスプレイ２０００に表示する。
【００７７】
ディスプレイ２０００は、液晶等のディスプレイパネルを含み、撮像部１３００が撮影する画像、及び、電話帳の個人情報等を表示する機能を有する。
【００７８】
名刺登録作業用記憶部３０００は、撮像部１３００が出力した撮影データ（以下、「作業用撮影データ」という場合がある。）を記憶しておく機能を有する。尚、図４においては、作業用撮影データは、名刺画像３００１のデータである。
【００７９】
名刺画像記憶部３１００は、保存用の撮影データ（以下、「保存用撮影データ」という場合がある。）を記憶しておく機能を有する。保存用撮影データは、識別子と対応付けて記憶されている。尚、図４においては、保存用撮影データは、名刺画像３１０１のデータである。
【００８０】
電話帳記憶部３２００は、電話番号等の個人情報を記憶しておく機能を有する。個人情報には、アイコン２００１を表示するための画像の識別子が含まれている。この識別子は、名刺画像記憶部３１００に記憶されている撮影データに対応付けられている識別子と同じである。
【００８１】
上述した機能の全部または一部は、携帯電話機１０００の有するＣＰＵが、携帯電話機１０００のメモリ等に記録されているプログラムを実行することにより実現される。
【００８２】
＜データ＞
次に、実施形態の携帯電話機１０００で用いるデータについて図６及び図７を用いて説明する。
【００８３】
図６は、変換テーブル１４１０の構成及び内容の例を示す図である。
【００８４】
この変換テーブル１４１０は、撮影モード設定部１４００が、いかなる撮影モードを撮像部１３００に設定すべきかを判断するために用いるテーブルである。
【００８５】
変換テーブル１４１０の説明をする前に、撮影モード設定部１４００が設定すべき撮影モードを決定する方法について説明する。
【００８６】
＜撮影モードの決定方法＞
撮影モード設定部１４００は、文字認識部１５００の性能に応じて撮像部１３００に設定する撮影モードを決定する。
【００８７】
具体的には、撮影モード設定部１４００は文字認識部１５００に、文字認識部１５００が認識可能な文字サイズの最小値、及び、文字認識部１５００が処理可能なフォーマットを問い合わせる。文字サイズの最小値は、１文字の縦のドット数で示される。
【００８８】
撮影モード設定部１４００は、文字認識部１５００が認識可能な文字サイズを上回るドット数で撮影できる撮影モードを、撮像部１３００に設定する撮影モードとして決定する。
【００８９】
通常の名刺で用いられる印刷文字の最小サイズは、予め知ることができる。従って、名刺の大きさ（例えば、９１ｍｍ×５５ｍｍ）、印刷文字の最小サイズ等から、名刺の撮影画像に必要な画素数を求めることができる。
【００９０】
撮影モード設定部１４００は、撮像部１３００に設定できる複数の撮影モードのうちから、名刺の撮影画像に必要な画素数を保証できる撮影モードを、撮像部１３００に設定する撮影モードとして決定する。名刺の撮影画像に必要な画素数を保証できる撮影モードが複数ある場合は、画素数の小さい方の撮影モードを選択する。
【００９１】
このようにすることで、名刺登録作業用記憶部３０００には文字認識可能な撮影データであって、無駄のない量の撮影データを記憶することが可能となる。
【００９２】
また、文字認識部１５００に問い合わせた性能に基づいて撮影モードを決定することから、文字認識部１５００のバージョンアップがあった場合、及び、異なる性能の文字認識部１５００に替わった場合等であっても、他の機能部を変更する必要がない。
【００９３】
尚、撮影モード設定部１４００は、文字認識部１５００から受け取ったフォーマットを、撮像部１３００に通知する。撮像部１３００は、通知されたフォーマットで撮影データを名刺登録作業用記憶部３０００に記憶させる。これは、文字認識のために、文字認識部１５００に撮影データをそのまま渡せるようにするためである。
【００９４】
以下、変換テーブル１４１０について説明する。この変換テーブル１４１０は、撮影モード設定部１４００が内部に記憶しているものである。
【００９５】
変換テーブル１４１０は、文字サイズ１４１１、画素数１４１２及びフォーマット１４１３を有する。
【００９６】
文字サイズ１４１１は、文字サイズを示す。詳細には、文字の縦のサイズをドット数で示す。
【００９７】
画素数１４１２は、撮影データの画素数を示す。すなわち、名刺の撮影データが備えるべき最小の画素数を示す。
【００９８】
フォーマット１４１３は、文字認識部１５００が処理可能な撮影データのフォーマットを示す。「−」は、ビットマップを示す。
【００９９】
例えば、文字認識部１５００が認識可能な文字サイズが「９ドット」であり、処理可能なフォーマットが「ＪＰＥＧ」であるとする。撮影モード設定部１４００は、文字サイズ１４１１「５〜１０」ドットに対応する画素数１４１２「３２０×２４０」ドット以上の撮影画像を撮影することができる撮影モードを文字認識部１５００に設定する。また。撮影モード設定部１４００は、フォーマットとして「ＪＰＥＧ」を文字認識部１５００に通知する。
【０１００】
次に、図７は、電話帳データ３２１０の構成及び内容の例を示す図である。
【０１０１】
この電話帳データ３２１０は１つの個人情報であり、通常、複数の電話帳データ３２１０が電話帳記憶部３２００に記憶されている。
【０１０２】
電話帳データ３２１０は、項目３２１１及び内容３２１２を有する。
【０１０３】
項目３２１１は、電話帳データ３２１０に含まれる項目を示す。
【０１０４】
内容３２１２は、項目３２１１で示される項目の内容を示す。
【０１０５】
例えば、項目３２１１「名前」は、電話帳データ３２１０が誰に関するデータであるかを示し、その内容３２１２は「○山△男」である。従って、この電話帳データ３２１０は、「○山△男」の個人情報である。
【０１０６】
また、項目３２１１「画像」は、電話帳データ３２１０の個人情報に関する画像の識別子を示し、その内容３２１２は「Ｇ００２」である。従って、名刺画像記憶部３１００に記憶されている識別子「Ｇ００２」で識別される画像が、「○山△男」に関する画像である。
【０１０７】
＜動作＞
以下、実施形態の携帯電話機１０００の動作について図８及び図９を用いて説明する。
【０１０８】
図８は、携帯電話機１０００の名刺登録処理のフローチャートである。図９は、電話帳に登録されている個人情報の名刺画像表示処理のフローチャートである。
【０１０９】
図８を用いて、携帯電話機１０００のユーザが名刺を登録する場合を説明する。
【０１１０】
ユーザが、メニューから「名刺撮影モード」を選択してカメラを起動する操作を行う。
【０１１１】
カメラが「名刺撮影モード」で起動する操作を検出したインタフェース部１１００は（ステップＳ１００）、名刺登録制御部１２００に名刺登録処理を開始するよう指示する。
【０１１２】
指示を受けた名刺登録制御部１２００は、文字認識部１５００の性能に関する情報を問い合わせて取得する（ステップＳ１１０）。
【０１１３】
具体的には、文字認識部１５００から、文字認識部１５００が認識可能な文字サイズの最小値、及び、文字認識部１５００が処理可能なフォーマットを文字認識部１５００に問い合わせて受け取る（ステップＳ２００）。
【０１１４】
文字認識部１５００から性能に関する情報を受け取った撮影モード設定部１４００は、変換テーブル１４１０を参照して、撮影モードを決定する。撮影モードの決定方法は、上述した＜撮影モードの決定方法＞の通りである。
【０１１５】
撮影モードを決定した撮影モード設定部１４００は、決定した撮影モードを撮像部１３００に設定し、文字認識部１５００から受け取ったフォーマットを通知して、撮像部１３００を起動する（ステップＳ１２０）。
【０１１６】
起動された撮像部１３００は、ディスプレイ２０００の四隅にガイド枠２１０１を表示し、ディスプレイ２０００に撮影画像を表示する（図２参照）。
【０１１７】
ここで、ユーザは、ディスプレイ２０００に表示されたガイド枠２１０１に名刺の画像が収まるようにして、「撮影」が対応するソフトキー１１を押下する。
【０１１８】
「撮影」が対応するソフトキー１１の押下を検出したインタフェース部１１００は（ステップＳ１３０）、キーが押下された旨を撮像部１３００に通知する。
【０１１９】
通知を受けた撮像部１３００は、撮影モード設定部１４００から通知されたフォーマットの形式の作業用撮影データを生成して、名刺登録作業用記憶部３０００に記憶させる（ステップＳ１４０、図４の名刺画像３００１を参照）。
【０１２０】
「撮影」が対応するソフトキー１１が押下された旨を撮像部１３００に通知したインタフェース部１１００は、撮影された旨を名刺登録制御部１２００に通知する。
【０１２１】
通知を受けた名刺登録制御部１２００は、名刺登録作業用記憶部３０００に記憶されている作業用撮影データから、文字データを認識するよう文字認識部１５００に依頼する。
【０１２２】
文字データを認識するよう依頼を受けた文字認識部１５００は、作業用撮影データから生成する撮影画像（図４の名刺画像３００１を参照）の文字を認識し、認識した文字データを名刺登録制御部１２００に渡す（ステップＳ１５０、ステップＳ２１０）。
【０１２３】
なお、撮影した名刺の画像データを、ＪＰＥＧなどで圧縮して登録する場合は、圧縮する前に記憶する名刺画像データを上向きにしておく方が望ましい。なぜなら、ＪＰＥＧは、ロスレス圧縮ではないため、元の名刺画像を復元してから画像を回転する度に、画像が劣化するからである。
【０１２４】
また、文字認識部１５００は、文字認識時に判定した撮影画像の向きに関する情報を名刺登録制御部１２００に渡す（ステップＳ１６０、ステップＳ２２０）。
【０１２５】
文字情報の向きに関する情報を渡された名刺登録制御部１２００は、受け取った向きに関する情報を渡して、縮小画像生成部１６００に保存用撮影データを生成するよう依頼する。
【０１２６】
保存用撮影データを生成するよう依頼を受けた縮小画像生成部１６００は、作業用撮影データ、及び、受け取った向きに関する情報から保存用撮影データ（図４の名刺画像３１０１を参照）を生成し、名刺画像記憶部３１００に記憶させる。記憶させる際、識別子を付与し、識別子と対応付けて記憶させる（ステップＳ１７０）。
【０１２７】
保存用撮影データを記憶させた縮小画像生成部１６００は、対応付けた識別子を名刺登録制御部１２００に渡す。
【０１２８】
また、縮小画像生成部１６００は、名刺登録作業用記憶部３０００に記憶されている作業用撮影データを削除する。すなわち、名刺登録作業用記憶部３０００における作業用撮影データが記憶されている領域を解放する（ステップＳ１８０）。
【０１２９】
文字認識部１５００から文字データを渡され、縮小画像生成部１６００から識別子を渡された名刺登録制御部１２００は、文字データと識別子とから電話帳データ３２１０を生成して電話帳記憶部３２００に記憶させる（ステップＳ１９０、図４又は図７の電話帳データ３２１０を参照）。
【０１３０】
次に、ユーザが電話帳に登録した個人情報から名刺画像を表示する場合を、図９を用いて説明する。
【０１３１】
ユーザが、電話帳に登録されている個人を指定して情報の表示を指示する操作を行う。
【０１３２】
個人情報の表示を指示する操作を検出したインタフェース部１１００は（ステップＳ３００）、電話帳表示部１７００に個人情報の表示処理を開始するよう指示する。
【０１３３】
指示を受けた電話帳表示部１７００は、電話帳記憶部３２００から指定された個人の電話帳データ３２１０（図７参照）を読み出す（ステップＳ４００）。
【０１３４】
また、電話帳表示部１７００は、読み出した電話帳データ３２１０の項目３２１１「画像」の内容３２１２として設定されている画像の識別子を読み出す（ステップＳ４１０）。次に電話帳表示部１７００は、読み出した識別子に対応付けられている保存用撮影データを、名刺画像記憶部３１００から読み出す。電話帳表示部１７００は、読み出した保存用データを用いて、より小さな画像であるアイコン２００１（図１参照）を生成する。
【０１３５】
電話帳表示部１７００は、読み出した電話帳データ３２１０、及び、生成したアイコン２００１をディスプレイ２０００に表示する（ステップＳ３１０、図４の画面２２０１を参照）。
【０１３６】
ここで、ユーザは、カーソルの移動を指示する操作、又は、画像の拡大を指示する操作等を行う。
【０１３７】
ユーザの指示を検出したインタフェース部１１００は（ステップＳ３２０）、電話帳表示部１７００に検出した指示を通知する。
【０１３８】
指示が画像の拡大を行う指示である場合（ステップＳ３２０：画像の拡大）、電話帳表示部１７００は、電話帳データ３２１０から読み出した識別子に対応付けられている保存用撮影データを、名刺画像記憶部３１００から読み出し、ディスプレイ２０００に表示し（ステップＳ３３０）、ユーザの指示を待つ。
【０１３９】
指示が終了の指示である場合（ステップＳ３２０：終了）、電話帳表示部１７００は、処理を終了する。
【０１４０】
また、指示が他の処理の指示である場合（ステップＳ３２０：他の処理）、指示に従い他の処理を行い（ステップＳ３４０）、ユーザの指示を待つ。
【０１４１】
＜補足＞
以上、本発明の実施形態について説明したが、本発明は上記形態に限らず、以下のようにしてもよい。
（１）実施形態の文字認識部１５００は、作業用撮影データから文字を認識する際に、文字認識率をもとに、名刺の正しい向きを求める。具体的には、まず、作業用撮影データから文字を認識する。その文字認識率が所定値より低い場合は、更に、前記撮像データを９０度回転又は１８０度回転してそれぞれ文字を認識する。最も文字認識率が高いときの撮像データを、前記被写体の正しい向きとみなす。
（２）実施形態では、１枚の名刺を撮影する毎に電話帳に登録することとしているが、作業用撮影データを複数枚記憶した後に、電話帳に登録することとしてもよい。
（３）実施形態では、作業用撮影データから保存用撮影データを生成した後に、縮小画像生成部１６００が作業用撮影データを削除することとしている。しかし、保存用撮影データを生成しない場合には、文字認識部１５００が文字を認識後に作業用撮影データを削除することとしてもよい。
（４）携帯電話機１０００は、図５等の各構成要素の全部又は一部を、１チップ又は複数チップの集積回路で実現してもよい。
（５）携帯電話機１０００は、図５等の各構成要素の全部又は一部を、コンピュータのプログラムで実現してもよいし、その他どのような形態で実施してもよい。
【０１４２】
コンピュータプログラムの場合、メモリカード、ＣＤ−ＲＯＭなどいかなる記録媒体に書き込まれたものをコンピュータに読み込ませて実行させる形にしてもよいし、ネットワークを経由してプログラムをダウンロードして実行させる形にしてもよい。
【０１４３】
上に述べた実施例には、以下に述べるような付記も開示されている。
（付記１）
撮像対象を撮影し、撮影データを取得する画像撮像装置と、出力装置と連携可能な画像管理装置であって、
前記画像撮像装置で撮影された文字を含む撮像対象を、撮影データを取得する撮像手段と、
前記撮影データから文字を認識する文字読取手段と、
前記撮影データに含まれる文字の大きさと前記文字読取手段で読取可能な文字の大きさに応じて、視認可能な保存する撮影データの画素数を決定する決定手段と、
該生成した視認可能な画像データを記憶可能な保存用データ記憶手段と、
前記撮影データから視認可能な保存用データとそれに対応する識別子を生成し、該生成した保存用データと識別子を前記保存用データ記憶手段に記憶させる保存用データ生成手段と、
該保存用データを前記出力装置に出力する出力手段と、
を備える画像管理装置。
（付記２）
撮像対象を撮影し、撮影データを取得する画像撮像手段と、
文字を含む撮像対象を撮影し、撮影データを取得する撮像手段と、
前記撮影データから文字を認識する文字読取手段と、
前記撮影データに含まれる文字の大きさと前記文字読取手段で読取可能な文字の大きさに応じて、視認可能な保存する前記画像データの画素数を決定する決定手段と、
該生成した視認可能な画像データを記憶可能な保存用データ記憶手段と、
前記撮影データから視認可能な保存用データそれに対応する識別子を生成し、該生成した保存用データと識別子を前記保存用データ記憶手段に記憶させる保存用データ生成手段と、
前記保存用データ記憶手段に記憶されている前記保存用データの中から表示したい保存用データの識別子を指定する指定手段と、
該指定された識別子の保存用データを画面に表示する表示手段と、
を備える画像管理装置。
【符号の説明】
【０１４４】
１０  ソフトキー対応キー
２０  機能キー
３０  文字入力キー
１０００  携帯電話機
１１００  インタフェース部
１２００  名刺登録制御部
１３００  撮像部
１４００  撮影モード設定部
１４１０  変換テーブル
１５００  文字認識部
１６００  縮小画像生成部
１７００  電話帳表示部
２０００  ディスプレイ
２００１  アイコン
２１０１  ガイド枠
２２０４  カーソル
３０００  名刺登録作業用記憶部
３００１  ３１０１  名刺画像
３１００  名刺画像記憶部
３２００  電話帳記憶部
３２１０  電話帳データ
【図１】
2011070601.tif 000003
【図２】
2011070601.tif 000004
【図３】
2011070601.tif 000005
【図４】
2011070601.tif 000006
【図５】
2011070601.tif 000007
【図６】
2011070601.tif 000008
【図７】
2011070601.tif 000009
【図８】
2011070601.tif 000010
【図９】
2011070601.tif 000011